(57)【要約】【課題】十分な軽量化を実現できるスピーカユニットを提供する。【解決手段】振動板２１および磁気回路２２を支持するフレーム３０を備えるスピーカユニット１００であって、フレーム３０は、振動板２１の外周を支持する第１の支持部３１と、第１の支持部３１の外周から外側に拡がる台座部３２と、台座部３２における複数の位置であって、第１の支持部３１の外周を囲う複数の位置に設けられた複数の締結部３３と、台座部３２における、複数の締結部３３の間の複数の領域に配置され、第１の支持部３１、および、台座部３２に固定された、複数の補強部３４と、を有し、複数の補強部３４は、台座部３２の前方において、台座部３２に対向して配置され、前方に凸の形状で曲がっている板状の第１板部３４ａと、台座部３２の前方において、台座部３２および第１板部３４ａに対向して配置され、後方に凸の形状で曲がっている板状の第２板部３４ｂとを有する。【選択図】図４
2020178287.tif 000002
【特許請求の範囲】
【請求項１】
前方に音が放出されるように、振動板および磁気回路を支持するフレームを備えるスピーカユニットであって、
前記フレームは、
前記振動板の外周を支持する支持部と、
前記支持部の外周から外側に拡がる台座部と、
前記台座部における複数の位置であって、前記支持部の外周を囲う複数の位置に設けられた複数の締結部と、
前記台座部における、前記複数の締結部の間の複数の領域に配置され、前記支持部、および、前記台座部に固定された、複数の補強部と、を有し、
前記複数の補強部は、
前記台座部の前方において、前記台座部に対向して配置され、前方に凸の形状で曲がっている板状の第１板部と、
前記台座部の前方に配置され、前記台座部および前記第１板部に対向しており、後方に凸の形状で曲がっている板状の第２板部とを有する
スピーカユニット。
【請求項２】
前記複数の補強部は、前記スピーカユニットの外方に露出している
請求項１に記載のスピーカユニット。
【請求項３】
前記補強部における前記第１板部および前記第２板部の少なくとも一方における前記凸の形状は、曲面状の形状である
請求項１または２に記載のスピーカユニット。
【請求項４】
前記補強部における前記第１板部および前記第２板部の少なくとも一方における前記凸の形状は、屈曲している形状である
請求項１または２に記載のスピーカユニット。
【請求項５】
前記補強部における前記第１板部および前記第２板部の少なくとも一方は、前記複数の締結部のうちの隣り合う２つの締結部の一方の締結部から他方の締結部までの間の全域に亘って配置されている
請求項１から４のいずれか１項に記載のスピーカユニット。
【請求項６】
前記補強部における前記第１板部では、前記支持部の前記外周の周方向における端部が前記台座部に接続されている
請求項１から５のいずれか１項に記載のスピーカユニット。
【請求項７】
前記第１板部および前記第２板部は、２箇所において互いに交差している
請求項１から６のいずれか１項に記載のスピーカユニット。
【請求項８】
前記複数の補強部は、さらに、前記支持部および前記台座部に交差する姿勢で、前記第１板部および前記第２板部が交差している前記２箇所において、さらに前記第１板部および前記第２板部とそれぞれ交差する２つの第３板部を有する
請求項７に記載のスピーカユニット。
【請求項９】
前記複数の補強部は、さらに、
前記支持部および前記台座部に交差する姿勢で、前記第１板部および前記第２板部の少なくとも一方の、前記支持部の前記外周の周方向における略中心に配置される第４板部を有する
請求項１から８のいずれか１項に記載のスピーカユニット。
【請求項１０】
前記支持部は、前記第１板部の前方に前記第１板部に対向して配置され、前記支持部の前記外周から外側に広がるフランジ部を有し、
前記第１板部の一部は、前記フランジ部に接続されている
請求項１から９のいずれか１項に記載のスピーカユニット。
【請求項１１】
前記第２板部の一部は、前記台座部に接続されている
請求項１から１０のいずれか１項に記載のスピーカユニット。
【請求項１２】
請求項１から１１のいずれか１項に記載のスピーカユニットと、
前記スピーカユニットに電気信号を入力する回路部と、を備える
電子機器。
【請求項１３】
請求項１から１１のいずれか１項に記載のスピーカユニットと、
前記スピーカユニットに電気信号を入力する回路部と、
前記スピーカユニットと前記回路部とを搭載した、自走可能な本体と、を備える
移動体装置。
【発明の詳細な説明】
【技術分野】
【０００１】
本開示は、スピーカユニット、電子機器および移動体装置に関する。
【背景技術】
【０００２】
従来、振動板を支持するフレームが補強リブにより補強されているスピーカが開示されている（特許文献１参照）。
【先行技術文献】
【特許文献】
【０００３】
【特許文献１】国際公開第２０１３／１６１２１４号
【発明の概要】
【発明が解決しようとする課題】
【０００４】
ところで、近年、車載向けスピーカユニットは、自動車の燃費向上のために更なる軽量化が要求されており、特許文献１に記載のスピーカでは、軽量化が十分ではない。
【０００５】
そこで、本開示は、十分な軽量化を実現できるスピーカユニットを提供する。
【課題を解決するための手段】
【０００６】
本開示の一態様に係るスピーカユニットは、前方に音が放出されるように、振動板および磁気回路を支持するフレームを備えるスピーカユニットであって、前記フレームは、前記振動板の外周を支持する支持部と、前記支持部の外周から外側に拡がる台座部と、前記台座部における複数の位置であって、前記支持部の外周を囲う複数の位置に設けられた複数の締結部と、前記台座部における、前記複数の締結部の間の複数の領域に配置され、前記支持部、および、前記台座部に固定された、複数の補強部と、を有し、前記複数の補強部は、前記台座部の前方において、前記台座部に対向して配置され、前方に凸の形状で曲がっている板状の第１板部と、前記台座部の前方に配置され、前記台座部および前記第１板部に対向しており、後方に凸の形状で曲がっている板状の第２板部とを有する。
【発明の効果】
【０００７】
本開示のスピーカユニットでは、フレームの形状剛性を確保しつつ、十分な軽量化を実現できる。
【図面の簡単な説明】
【０００８】
【図１】図１は、実施の形態１に係るスピーカユニットの外観の一例を示す斜視図である。
【図２】図２は、スピーカユニットを外部筐体に締結する例を示す図である。
【図３】図３は、スピーカユニットを背面側からみた平面図である。
【図４】図４は、図３における第１の視線方向から見た場合のフレームの側面図である。
【図５】図５は、図３における第２の視線方向から見た場合のフレームの側面図である。
【図６】図６は、本実施の形態に係るスピーカユニットの正面図である。
【図７】図７は、本実施の形態に係るスピーカユニットの平面図である。
【図８】図８は、本実施の形態に係るスピーカユニットの底面図である。
【図９】図９は、本実施の形態に係るスピーカユニットの左側面図である。
【図１０】図１０は、本実施の形態に係るスピーカユニットの右側面図である。
【図１１】図１１は、本実施の形態に係るスピーカユニットの背面図である。
【図１２】図１２は、第１の類似構成に係るスピーカユニットの正面図である。
【図１３】図１３は、第１の類似構成に係るスピーカユニットの平面図である。
【図１４】図１４は、第１の類似構成に係るスピーカユニットの底面図である。
【図１５】図１５は、第１の類似構成に係るスピーカユニットの左側面図である。
【図１６】図１６は、第１の類似構成に係るスピーカユニットの右側面図である。
【図１７】図１７は、第１の類似構成に係るスピーカユニットの背面図である。
【図１８】図１８は、第２の類似構成に係るスピーカユニットの正面図である。
【図１９】図１９は、第２の類似構成に係るスピーカユニットの平面図である。
【図２０】図２０は、第２の類似構成に係るスピーカユニットの底面図である。
【図２１】図２１は、第２の類似構成に係るスピーカユニットの左側面図である。
【図２２】図２２は、第２の類似構成に係るスピーカユニットの右側面図である。
【図２３】図２３は、第２の類似構成に係るスピーカユニットの背面図である。
【図２４】図２４は、第３の類似構成に係るスピーカユニットの正面図である。
【図２５】図２５は、第３の類似構成に係るスピーカユニットの平面図である。
【図２６】図２６は、第３の類似構成に係るスピーカユニットの底面図である。
【図２７】図２７は、第３の類似構成に係るスピーカユニットの左側面図である。
【図２８】図２８は、第３の類似構成に係るスピーカユニットの右側面図である。
【図２９】図２９は、第３の類似構成に係るスピーカユニットの背面図である。
【図３０】図３０は、実施の形態２における電子機器であるオーディオ用のミニコンポシステムの外観図である。
【図３１】図３１は、実施の形態３における移動体装置である自動車の断面図である。
【発明を実施するための形態】
【０００９】
本開示の一態様に係るスピーカユニットは、前方に音が放出されるように、振動板および磁気回路を支持するフレームを備えるスピーカユニットであって、前記フレームは、前記振動板の外周を支持する支持部と、前記支持部の外周から外側に拡がる台座部と、前記台座部における複数の位置であって、前記支持部の外周を囲う複数の位置に設けられた複数の締結部と、前記台座部における、前記複数の締結部の間の複数の領域に配置され、前記支持部、および、前記台座部に固定された、複数の補強部と、を有し、前記複数の補強部は、前記台座部の前方において、前記台座部に対向して配置され、前方に凸の形状で曲がっている板状の第１板部と、前記台座部の前方に配置され、前記台座部および前記第１板部に対向しており、後方に凸の形状で曲がっている板状の第２板部とを有する。
【００１０】
これによれば、複数の補強部は、前方に凸の形状で曲がっている板状の第１板部と、後方に凸の形状で曲がっている板状の第２板部とを有するため、フレームにおける複数の締結部の間の複数の領域における剛性を効果的に向上させることができる。これにより、フレームに十分な軽量化を行っても、フレームに必要な形状剛性を確保することができる。よって、フレームの形状剛性を確保しつつ、スピーカユニットを十分に軽量化することができる。
【００１１】
また、前記複数の補強部は、前記スピーカユニットの外方に露出していてもよい。
【００１２】
このため、フレームを複雑な形状にすることなくフレームの剛性を向上させることができる。
【００１３】
また、前記補強部における前記第１板部および前記第２板部の少なくとも一方における前記凸の形状は、曲面状の形状であってもよい。
【００１４】
このため、複数の補強部の剛性を効果的に向上させることができる。
【００１５】
また、前記補強部における前記第１板部および前記第２板部の少なくとも一方における前記凸の形状は、屈曲している形状であってもよい。
【００１６】
このため、複数の補強部の剛性を効果的に向上させることができる。
【００１７】
また、前記補強部における前記第１板部および前記第２板部の少なくとも一方は、前記複数の締結部のうちの隣り合う２つの締結部の一方の締結部から他方の締結部までの間の全域に亘って配置されていてもよい。
【００１８】
このため、一方の締結部から他方の締結部までの間の全域におけるフレームの剛性を効果的に向上させることができる。
【００１９】
また、前記補強部における前記第１板部では、前記支持部の前記外周の周方向における端部が前記台座部に接続されていてもよい。
【００２０】
このため、複数の補強部の剛性を効果的に向上させることができる。
【００２１】
また、前記第１板部および前記第２板部は、２箇所において互いに交差していてもよい。
【００２２】
このため、第１板部および第２板部が支持部に固定されている部分の長さを長くすることができる。よって、支持部の剛性を効果的に向上させることができる。
【００２３】
また、前記複数の補強部は、さらに、前記支持部および前記台座部に交差する姿勢で、前記第１板部および前記第２板部が交差している前記２箇所において、さらに前記第１板部および前記第２板部とそれぞれ交差する２つの第３板部を有してもよい。
【００２４】
このため、支持部および台座部の剛性を効果的に向上させることができる。
【００２５】
また、前記複数の補強部は、さらに、前記支持部および前記台座部に交差する姿勢で、前記第１板部および前記第２板部の少なくとも一方の、前記支持部の前記外周の周方向における略中心に配置される第４板部を有してもよい。
【００２６】
このため、支持部および台座部の剛性を効果的に向上させることができる。
【００２７】
また、前記支持部は、前記第１板部の前方に前記第１板部に対向して配置され、前記支持部の前記外周から外側に広がるフランジ部を有し、前記第１板部の一部は、前記フランジ部に接続されていてもよい。
【００２８】
このため、フランジ部の剛性を効果的に向上させることができる。
【００２９】
また、前記第２板部の一部は、前記台座部に接続されていてもよい。
【００３０】
このため、台座部の剛性を効果的に向上させることができる。
【００３１】
なお、これらの全般的または具体的な態様は、スピーカユニットを有する電子機器やスピーカユニットを有する移動体装置で実現されてもよい。
【００３２】
以下、本開示の一態様に係るスピーカユニットについて、図面を参照しながら具体的に説明する。
【００３３】
なお、以下で説明する実施の形態は、いずれも本開示の一具体例を示すものである。以下の実施の形態で示される数値、形状、材料、構成要素、構成要素の配置位置及び接続形態などは、一例であり、本開示を限定する主旨ではない。また、以下の実施の形態における構成要素のうち、最上位概念を示す独立請求項に記載されていない構成要素については、任意の構成要素として説明される。
【００３４】
（実施の形態１）
図１〜図１１を用いて、実施の形態１に係るスピーカユニットについて説明する。
【００３５】
なお、本実施の形態では、スピーカユニットの中心軸をＺ軸方向とし、当該中心軸に対してコネクタが位置する方向をＹ軸方向とし、Ｚ軸方向およびＹ軸方向に直交する方向をＸ軸方向とする。図１〜図１１では、Ｘ軸、Ｙ軸およびＺ軸を示す矢印が指している側を、それぞれの方向のプラス方向とし、それぞれのプラス方向の反対方向をマイナス方向とする。なお、スピーカユニットの中心軸とは、スピーカユニットの略円錐形状の中心軸である。
【００３６】
［１−１．スピーカユニットの構成］
実施の形態１に係るスピーカユニット１００の構成について、図１〜図３を用いて説明する。
【００３７】
図１は、実施の形態１に係るスピーカユニットの外観の一例を示す斜視図である。図２は、スピーカユニットを外部筐体に締結する例を示す図である。図３は、スピーカユニットを背面側からみた平面図である。
【００３８】
スピーカユニット１００は、気密性や水密性の向上およびスピーカユニット１００の動作時の振動によるビリツキ音を低減させることを目的として、フレーム３０の、スピーカユニット１００が音を放出する側と、その反対側とに、それぞれ、第１の弾性部材１０および第２の弾性部材４０を備えていることが多い。
【００３９】
スピーカユニット１００は、略円錐形状の振動板２１と、略円柱形状の磁気回路２２とが結合されたフレーム３０を有する。磁気回路２２は、図示しない、マグネット、プレートおよびヨークにより構成されており、図示しないボイスコイルに入力された音声信号に応じて振動板２１を振動させる。磁気回路２２は、内磁型であってもよいし、外磁型であってもよい。
【００４０】
フレーム３０は、前方に音が放出されるように、振動板２１および磁気回路２２を支持する部材、つまり、支持部である。また、フレーム３０は、図２に示されるように、自動車のフロントドアなどの外部筐体１１０に設けられた円形の開口部１１１に、フレーム３０が有する複数の締結部３３と外部筐体１１０が備える複数の貫通孔１１２とが、図示しない締結部材により締結されることで、スピーカユニット１００を外部筐体に固定する。フレーム３０は、例えば、樹脂により構成されている。
【００４１】
［１−２．フレームの構成］
次に、フレーム３０の詳細な構成について図１および図３を用いて説明する。
【００４２】
図１および図３に示されるように、フレーム３０は、略筒状の第１の支持部３１と、台座部３２と、複数の締結部３３と、補強部３４とを有する。フレーム３０は、さらに、第２の支持部３６と、複数の接続部３７と、コネクタ部３８とを有してもよい。なお、フレーム３０は、樹脂により、各構成要素３１〜３８が一体に形成されている。
【００４３】
第１の支持部３１は、スピーカユニット１００のうちの振動板２１を支持する部位である。具体的には、第１の支持部３１は、内部に配置される振動板２１の外周を支持する略円筒状の部位である。第１の支持部３１は、振動板２１の外周に対応する形状を有する。
【００４４】
第２の支持部３６は、スピーカユニット１００のうちの振動部品であるダンパーの一部と磁気回路２２とを支持する部位である。具体的には、第２の支持部３６は、略円錐形状および有底の略円筒形状の部材である。第２の支持部３６は、スピーカユニット１００のＺ軸マイナス方向の部位のＺ軸マイナス方向を覆う部位であり、スピーカユニット１００のＺ軸マイナス方向の部位に対応する形状を有する。
【００４５】
第１の支持部３１と第２の支持部３６とは、図３に示されるように、Ｚ軸方向から見た場合、第１の支持部３１の内方に第２の支持部３６が位置するように、複数の接続部３７により接続されている。複数の接続部３７は、梁状の部位である。
【００４６】
台座部３２は、第１の支持部３１の外周から外側に拡がり、外部筐体１１０に設けられた開口部１１１に対向する部位である。台座部３２は、板状の部位であり、第２の弾性部材４０を開口部１１１とで挟むことで、台座部３２と開口部１１１との間の気密性および水密性を向上させている。
【００４７】
なお、フレーム３０は、Ｚ軸プラス方向に、台座部３２と対向するフランジ部３５を有する。フランジ部３５は、第１の支持部３１のＺ軸プラス方向の端部に設けられ、当該端部から外側に広がる部位である。フランジ部３５は、スピーカユニット１００の音を放出する側の筐体に設けられた、図示しない開口部に第１の弾性部材１０を介して当接される。
【００４８】
複数（本実施の形態では３つ）の締結部３３は、それぞれが、台座部３２における、第１の支持部３１の外周を囲う複数の位置に設けられる部位である。複数の締結部３３は、具体的には、台座部３２からさらに外側（中心軸から離れる方向側）に延設され突出している部位であり、台座部３２よりも厚みが厚い部位である。複数の締結部３３は、所定の締結部材が貫通するための貫通孔３３ａを有する。なお、所定の締結部材とは、例えば、ネジ、ボルト、リベットなどである。つまり、スピーカユニット１００は、複数の締結部３３において、所定の締結部材により開口部１１１に締結されることにより、開口部１１１の所定の位置に固定される。
【００４９】
また、複数の締結部３３は、第１の支持部３１の外周から外側に突出する板状の突出部３３ｂを有する。板状の突出部３３ｂは、具体的には、１つの締結部３３を、第１の支持部３１の外周の周方向の両端に形成される一対の部位であり、Ｚ軸方向および当該外周の径方向に略平行な形状を有する。突出部３３ｂは、第１の支持部３１の外周面から台座部３２のＺ軸プラス方向の面に亘って連続して形成されている。このため、複数の締結部３３の強度が確保され、台座部３２に対して複数の締結部３３がたわむことを低減できる。
【００５０】
また、複数の締結部３３は、フレーム３０の、スピーカユニット１００の中心軸に対応する位置を中心として、１２０度だけ互いに離れた位置に配置されている。つまり、複数の締結部３３は、３つであるため、第１の支持部３１の外周に等間隔で配置されている。
【００５１】
複数の補強部３４は、台座部３２における複数の締結部３３の間の複数の領域に配置され、第１の支持部３１の外周面、および、台座部３２に固定されている。複数の補強部３４は、台座部３２の開口部１１１側とは反対側（つまり、Ｚ軸プラス方向）の面に固定されている。これにより、補強部３４は、第１の支持部３１および台座部３２の剛性を向上させている。
【００５２】
コネクタ部３８は、図１に示されるように、第１の支持部３１のＸ軸プラス方向に設けられ、スピーカユニット１００へ音声信号を入力するための配線が接続される部位である。
【００５３】
ここで、複数の補強部３４の側方（つまりＺ軸方向に直行する方向）から見た形状について、図４および図５を用いて説明する。
【００５４】
図４は、図３における第１の視線方向Ｄ１から見た場合のフレームの側面図である。図５は、図３における第２の視線方向Ｄ２から見た場合のフレームの側面図である。
【００５５】
複数の補強部３４は、第１板部３４ａと、第２板部３４ｂとを有する。また、複数の補強部３４は、さらに、２つの第３板部３４ｃと、１つの第４板部３４ｄと、複数の第５板部３４ｅとを有していてもよい。複数の補強部３４は、スピーカユニット１００の外方に露出している。つまり、フレーム３０は、外側を覆う部位を有さない部材である。
【００５６】
第１板部３４ａは、台座部３２の前方（Ｚ軸プラス方向）において、台座部３２に対向して配置され、Ｚ軸プラス方向に凸の形状で曲がっている板状の部位である。第１板部３４ａにおけるＺ軸プラス方向に凸の形状は、曲面状の形状である。第１板部３４ａは、複数の締結部３３のうちの隣り合う２つの締結部３３の一方の締結部３３から他方の締結部３３までの間の全域に亘って配置されている。また、第１板部３４ａでは、第１の支持部３１の外周の周方向（以下、「周方向」という。）における端部が台座部３２に接続されている。
【００５７】
第２板部３４ｂは、台座部３２のＺ軸プラス側に配置され、台座部３２および第１板部３４ａに対向しおり、後方（Ｚ軸マイナス方向）に凸の形状で曲がっている板状の部位である。第２板部３４ｂにおけるＺ軸マイナス側に凸の形状は、曲面状の形状である。第２板部３４ｂは、複数の締結部３３のうち２つの締結部３３の一方の締結部３３から他方の締結部３３までの間の全域に亘って配置されている。
【００５８】
また、第１板部３４ａおよび第２板部３４ｂは、２箇所において互いに交差している。つまり、周方向における第１板部３４ａの中心の部位は、周方向における第２板部３４ｂの中心の部位よりもＺ軸プラス方向に配置され、かつ、周方向における第１板部３４ａの両端の部位は、周方向における第２板部３４ｂの両端の部位よりもＺ軸マイナス方向に配置されている。
【００５９】
２つの第３板部３４ｃは、第１の支持部３１および台座部３２に交差する姿勢で、第１板部３４ａおよび第２板部３４ｂが交差している２箇所において、さらに第１板部３４ａおよび第２板部３４ｂとそれぞれ交差する部位である。２つの第３板部３４ｃは、台座部３２からフランジ部３５までの間に亘って配置されている。
【００６０】
１つの第４板部３４ｄは、第１の支持部３１および台座部３２に交差する姿勢で、周方向における第１板部３４ａおよび第２板部３４ｂの少なくとも一方の、略中心に配置される。第４板部３４ｄは、第１板部３４ａおよび第２板部３４ｂと交差して配置される。第４板部３４ｄは、台座部３２からフランジ部３５までの間に亘って配置されている。
【００６１】
複数の第５板部３４ｅは、第１の支持部３１、台座部３２および第１板部３４ａに交差する姿勢で、第１の支持部３１、台座部３２および第１板部３４ａに固定され、第１の支持部３１の外周の周方向に並んで配置される部位である。
【００６２】
２つの第３板部３４ｃ、第４板部３４ｄおよび第５板部３４ｅは、第１の視線方向Ｄ１およびＺ軸方向に略平行な部位である。つまり、２つの第３板部３４ｃ、第４板部３４ｄおよび第５板部３４ｅは、互いに略平行に配置されている。また、２つの第３板部３４ｃ、第４板部３４ｄおよび第５板部３４ｅは、第１の視線方向Ｄ１およびＺ軸方向に略直交する方向に略均等な間隔を空けて配置されている。
【００６３】
また、複数の補強部３４は、当該補強部３４の周方向における略中心の位置からスピーカユニット１００の中心軸に向かう方向（つまり、第１の視線方向Ｄ１）に沿った形状を有していてもよい。
【００６４】
また、図３〜図５に示されるように、複数の補強部３４のうち、コネクタ部３８が配置されている第１の補強部３４Ａの構成と、コネクタ部３８が配置されていない第２の補強部３４Ｂの構成とは異なる。
【００６５】
具体的には、複数の補強部３４のうち、第１の締結部３３Ａおよび第２の締結部３３Ｂの間に設けられる第１の補強部３４Ａは、Ｚ軸プラス方向に凸の形状を有する第１板部３４ａを有していなくてもよい。また、第１の補強部３４Ａにおける、第２の視線方向Ｄ２およびＺ軸方向に略平行な板部の数は、第２の補強部３４Ｂにおける、第１の視線方向Ｄ１およびＺ軸方向に略平行な板部の数よりも少なくてもよい。このように、第１の補強部３４Ａが有する板部の数は、第２の補強部３４Ｂが有する板部の数よりも少ないため、第１の補強部３４Ａの剛性は、第２の補強部３４Ｂの剛性よりも小さい。これは、第１の補強部３４Ａにはコネクタ部３８が配置されているため、第１の補強部３４Ａおよびコネクタ部３８を合わせた剛性が、第２の補強部３４Ｂの剛性と等しくなるように調整しているためである。つまり、台座部３２における、複数の締結部３３の間の複数の領域の剛性は、互いに略等しい。
【００６６】
なお、図６〜図１１に、本実施の形態に係るスピーカユニット１００の六面図をそれぞれ示す。図６は、本実施の形態に係るスピーカユニットの正面図である。図７は、本実施の形態に係るスピーカユニットの平面図である。図８は、本実施の形態に係るスピーカユニットの底面図である。図９は、本実施の形態に係るスピーカユニットの左側面図である。図１０は、本実施の形態に係るスピーカユニットの右側面図である。図１１は、本実施の形態に係るスピーカユニットの背面図である。
【００６７】
また、図１２〜図１７に、本実施の形態と類似する第１の類似構成を有するスピーカユニットの六面図をそれぞれ示す。第１の類似構成では、補強部が本実施の形態に係る補強部３４にさらに、第１板部３４ａおよび第２板部３４ｂが交差する２箇所で第１板部３４ａおよび第２板部３４ｂに交差し、かつ、台座部３２に略平行な板部を有する点が補強部３４と異なる。
【００６８】
図１２は、第１の類似構成に係るスピーカユニットの正面図である。図１３は、第１の類似構成に係るスピーカユニットの平面図である。図１４は、第１の類似構成に係るスピーカユニットの底面図である。図１５は、第１の類似構成に係るスピーカユニットの左側面図である。図１６は、第１の類似構成に係るスピーカユニットの右側面図である。図１７は、第１の類似構成に係るスピーカユニットの背面図である。
【００６９】
また、図１８〜図２３に、本実施の形態と類似する第２の類似構成を有するスピーカユニットの六面図をそれぞれ示す。第２の類似構成では、補強部が本実施の形態に係る補強部３４の複数の第５板部３４ｅが台座部３２からフランジ部３５の間の全域に亘って配置されている点が補強部３４と異なる。
【００７０】
図１８は、第２の類似構成に係るスピーカユニットの正面図である。図１９は、第２の類似構成に係るスピーカユニットの平面図である。図２０は、第２の類似構成に係るスピーカユニットの底面図である。図２１は、第２の類似構成に係るスピーカユニットの左側面図である。図２２は、第２の類似構成に係るスピーカユニットの右側面図である。図２３は、第２の類似構成に係るスピーカユニットの背面図である。
【００７１】
また、図２４〜図２９に、本実施の形態と類似する第３の類似構成を有するスピーカユニットの六面図をそれぞれ示す。第３の類似構成では、補強部が本実施の形態に係る補強部３４の複数の第５板部３４ｅを有しない点が補強部３４と異なる。
【００７２】
図２４は、第３の類似構成に係るスピーカユニットの正面図である。図２５は、第３の類似構成に係るスピーカユニットの平面図である。図２６は、第３の類似構成に係るスピーカユニットの底面図である。図２７は、第３の類似構成に係るスピーカユニットの左側面図である。図２８は、第３の類似構成に係るスピーカユニットの右側面図である。図２９は、第３の類似構成に係るスピーカユニットの背面図である。
【００７３】
［１−３．効果など］
本実施の形態におけるスピーカユニット１００は、Ｚ軸プラス方向に音が放出されるように、振動板２１および磁気回路２２を支持するフレーム３０を備える。フレーム３０は、第１の支持部３１と、台座部３２と、複数の締結部３３と、複数の補強部３４とを有する。第１の支持部３１は、振動板２１の外周を支持する部位である。台座部３２は、第１の支持部３１の外周から外側に拡がる部位である。複数の締結部３３は、台座部３２における複数の位置であって、第１の支持部３１の外周を囲う複数の位置に設けられた部位である。複数の補強部３４は、台座部３２における、複数の締結部３３の間の複数の領域に配置され、第１の支持部３１、および、台座部３２に固定された部位である。複数の補強部３４は、第１板部３４ａと第２板部３４ｂとを有する。第１板部３４ａは、台座部３２のＺ軸プラス方向において、台座部３２に対向して配置され、Ｚ軸プラス方向に凸の形状で曲がっている板状の部位である。第２板部３４ｂは、台座部３２のＺ軸プラス方向に配置され、台座部３２および第１板部３４ａに対向しており、Ｚ軸マイナス方向に凸の形状で曲がっている板状の部位である。
【００７４】
これによれば、複数の補強部３４は、Ｚ軸プラス方向に凸の形状で曲がっている板状の第１板部３４ａと、Ｚ軸マイナス方向に凸の形状で曲がっている板状の第２板部３４ｂとを有するため、フレーム３０における複数の締結部３３の間の複数の領域における剛性を効果的に向上させることができる。これにより、フレーム３０に十分な軽量化を行っても、フレーム３０に必要な形状剛性を確保することができる。よって、フレーム３０の形状剛性を確保しつつ、スピーカユニット１００を十分に軽量化することができる。
【００７５】
また、一般的に、スピーカユニット１００の台座部３２と開口部１１１との間には、ガスケットとしての第２の弾性部材４０を配置することで、気密性および水密性を向上させる。また、スピーカユニット１００は、第２の弾性部材４０が台座部３２と開口部１１１との間に配置された上で、フレーム３０の複数の締結部３３において、圧縮応力が働くように開口部１１１に締結部材によって締結される。このため、フレーム３０の台座部３２は、第２の弾性部材４０からの反発力を受ける。特に、台座部３２の、複数の締結部３３の間の領域では、締結部材により締結されていないため、開口部１１１とは反対側に凸になるように変形しやすい。複数の補強部３４は、第１の支持部３１および台座部３２の剛性を向上させているため、第１の支持部３１および台座部３２の、複数の締結部３３の間の部位が、開口部１１１とは反対側に凸になるように変形することを抑制できる。このように、第１の支持部３１および台座部３２が変形することを抑制できるため、台座部３２と開口部１１１との間に隙間が生じることを抑制できる。よって、スピーカユニット１００と開口部１１１との間の気密性および水密性を向上させることができる。  また、本実施の形態において、複数の補強部３４は、スピーカユニット１００の外方に露出している。このため、フレーム３０を複雑な形状にすることなくフレーム３０の合成を向上させることができる。
【００７６】
また、本実施の形態において、補強部３４における第１板部３４ａおよび第２板部３４ｂの少なくとも一方における凸の形状は、曲面状の形状である。このため、複数の補強部３４の剛性を効果的に向上させることができる。
【００７７】
また、本実施の形態において、補強部３４における第１板部３４ａおよび第２板部３４ｂの少なくとも一方は、複数の締結部３３のうちの隣り合う２つの締結部３３の一方の締結部３３から他方の締結部３３までの間の全域に亘って配置されている。このため、一方の締結部３３から他方の締結部３３までの間の全域におけるフレーム３０の剛性を効果的に向上させることができる。
【００７８】
また、本実施の形態において、補強部３４における第１板部３４ａでは、第１の支持部３１の外周の周方向における端部が台座部３２に接続されている。このため、複数の補強部３４の剛性を効果的に向上させることができる。
【００７９】
また、本実施の形態において、第１板部３４ａおよび第２板部３４ｂは、２箇所において互いに交差している。このため、第１板部３４ａおよび第２板部３４ｂが第１の支持部３１に固定されている部分の長さを長くすることができる。よって、第１の支持部３１の剛性を効果的に向上させることができる。
【００８０】
また、本実施の形態において、複数の補強部３４は、第１の支持部および台座部３２に交差する姿勢で、第１板部３４ａおよび第２板部３４ｂが交差している２箇所において、さらに第１板部３４ａおよび第２板部３４ｂとそれぞれ交差する２つの第３板部３４ｃを有する。このため、第１の支持部３１および台座部３２の剛性を効果的に向上させることができる。
【００８１】
また、本実施の形態において、複数の補強部３４は、さらに、第１の支持部３１および台座部３２に交差する姿勢で、第１板部３４ａおよび第２板部３４ｂの少なくとも一方の、第１の支持部３１の外周の周方向における略中心に配置される第４板部３４ｄを有する。このため、第１の支持部３１および台座部３２の剛性を効果的に向上させることができる。
【００８２】
また、本実施の形態において、複数の補強部３４は、当該補強部３４の略中心の位置からスピーカユニット１００の中心軸に向かう方向に沿って形成されている。
【００８３】
このため、例えば、フレーム３０を樹脂成形する場合に、当該補強部３４の略中心の位置からスピーカユニット１００の中心軸に向かう方向に略平行な形状を有する金型を使用すればよいため、フレーム３０の樹脂成形を容易に実現することができる。
【００８４】
また、本実施の形態において、フレーム３０は、さらに、複数の締結部３３のうちの第１の締結部３３Ａおよび第２の締結部３３Ｂの間に設けられ、スピーカユニット１００へ音声信号を入力するための配線が接続されるコネクタ部３８を有する。そして、複数の補強部３４のうち、第１の締結部３３Ａおよび第２の締結部３３Ｂの間に設けられる第１の補強部３４Ａの剛性は、第１の補強部３４Ａ以外の第２の補強部３４Ｂの剛性よりも小さい。
【００８５】
コネクタ部３８が設けられる台座部３２の領域では、コネクタ部３８が形成されている分だけ、剛性が大きくなるため、第１の補強部３４Ａの剛性を第２の補強部３４Ｂの剛性よりも小さくすることで、台座部３２の複数の領域における剛性を均一化することができる。このため、台座部３２の特定の部位にだけ荷重がかかることで、当該特定の部位が変形したり、破損したりすることを抑制することができる。
【００８６】
（実施の形態１の変形例）
［２−１．変形例１］
上記実施の形態では、第１板部３４ａにおけるＺ軸プラス方向に凸の形状、および、第２板部３４ｂにおけるＺ軸マイナス方向に凸の形状は、曲面状の形状であるとしたがこれに限らない。例えば、第１板部３４ａにおけるＺ軸プラス方向に凸の形状、および、第２板部３４ｂにおけるＺ軸マイナス方向に凸の形状は、屈曲している形状であってもよい。つまり、この場合、第１板部３４ａにおけるＺ軸プラス方向に凸の形状は、２つの板状の部位がＺ軸プラス方向に凸になるように突き合わされている形状である。同様に、第２板部３４ｂにおけるＺ軸マイナス方向に凸の形状は、２つの板状の部位がＺ軸マイナス方向に凸になるように突き合わされている形状である。
【００８７】
［２−２．変形例２］
また、上記実施の形態では、複数の締結部３３の間の複数の領域のそれぞれにおいて、当該領域の周方向の全域に亘って、補強部３４が形成されている構成であるが、補強部は、当該領域の幅の全域に亘って形成されていなくてもよい。例えば、補強部の両端は、締結部に固定されていない構成であってもよい。
【００８８】
［２−３．変形例３］
また、上記実施の形態では、第１板部３４ａは、フランジ部３５に接続されていない構成であるが、これに限らずに、第１板部３４ａの一部（例えば、周方向における略中心付近の部位）がフランジ部３５に接続されている構成であってもよい。
【００８９】
また、同様に、上記実施の形態では、第２板部３４ｂは、フランジ部３５に接続されていない構成であるが、第２板部３４ｂの周方向における両端がフランジ部３５に接続されている構成であってもよい。
【００９０】
［２−４．変形例４］
また、上記実施の形態では、第２板部３４ｂは、台座部３２に接続されていない構成であるが、これに限らずに、第２板部３４ｂの一部（例えば、周方向における略中心付近の部位）が台座部３２に接続されている構成であってもよい。
【００９１】
（実施の形態２）
次に、スピーカユニット１００を用いた電子機器の一例について、図３０を参照しながら説明する。図３０は、実施の形態２における電子機器であるオーディオ用のミニコンポシステムの外観図である。
【００９２】
スピーカユニット１００がエンクロジャー２０１に組込まれて、スピーカシステムが構成されている。ミニコンポシステム２００は、このスピーカシステムと、スピーカユニット１００に入力する電気信号の増幅部であるアンプ２０２と、アンプ２０２に入力されるソースを出力するプレーヤ２０３とを有している。すなわち、ミニコンポシステム２００はスピーカユニット１００と、スピーカユニット１００に電気信号を入力する回路部であるアンプ２０２とを有する。
【００９３】
この構成とすることにより、軽量化や省資源化で地球環境対応に貢献できる電子機器を実現することができる。
【００９４】
さらに、取付け時の変形や取付け歪等についても、フレームの強度確保ができていることから、大きく低減させることができ、低価格や高品質、高信頼性を実現できる電子機器を実現することができる。よって、電子機器の軽量化や省資源化と低価格化、高品質、高信頼性を実現できるという大きな効果を発揮することができる。
【００９５】
（実施の形態３）
次に、図３１を参照しながら、スピーカユニット１００を用いた移動体装置の一例を説明する。図３１は、実施の形態３における移動体装置である自動車の断面図である。
【００９６】
スピーカユニット１００をリアトレイやフロントパネルに組込んで、カーナビゲーションやカーオーディオの一部として使用して自動車３００が構成されている。カーナビゲーションやカーオーディオは、スピーカに電気信号を入力する回路部３０１を構成している。すなわち、移動体装置である自動車３００は、スピーカユニット１００と、スピーカユニット１００に電気信号を入力する回路部３０１と、スピーカユニット１００と回路部３０１とを搭載した、自走可能な本体３０２とを有する。
【００９７】
スピーカユニット１００の自動車３００への取付け位置については、リアトレイやフロントパネルに限定されることなく、ドアや天井、ピラー部、インパネ部、床等どの位置であっても良い。
【００９８】
この構成とすることにより、軽量化や省資源化で移動体装置の省燃費化を図り、地球環境対応に貢献できる移動体装置を実現することができる。さらに、取付け時の変形や取付け歪等についても、フレームの強度確保ができていることから、大きく低減させることができ、低価格や高品質、高信頼性を実現できる移動体装置を実現することができる。よって、移動体装置の軽量化や省資源化と低価格化、高品質、高信頼性を実現できるという大きな効果を発揮することができる。
【００９９】
以上、本開示の一つまたは複数の態様に係るスピーカユニットについて、実施の形態１〜３に基づいて説明したが、本開示は、これらの実施の形態１〜３に限定されるものではない。本開示の趣旨を逸脱しない限り、当業者が思いつく各種変形を本実施の形態１〜３に施したものや、異なる実施の形態１〜３における構成要素を組み合わせて構築される形態も、本開示の一つまたは複数の態様の範囲内に含まれてもよい。
【産業上の利用可能性】
【０１００】
本開示は、十分な軽量化を実現できるスピーカユニットなどとして有用である。
【符号の説明】
【０１０１】
１０    第１の弾性部材
２１    振動板
２２    磁気回路
３０    フレーム
３１    第１の支持部
３２    台座部
３３    締結部
３３Ａ    第１の締結部
３３Ｂ    第２の締結部
３３ａ    貫通孔
３３ｂ    突出部
３４    補強部
３４Ａ    第１の補強部
３４Ｂ    第２の補強部
３４ａ    第１板部
３４ｂ    第２板部
３４ｃ    第３板部
３４ｄ    第４板部
３４ｅ    第５板部
３５    フランジ部
３６    第２の支持部
３７    接続部
３８    コネクタ部
４０    第２の弾性部材
１００    スピーカユニット
１１０    外部筐体
１１１    開口部
１１２    貫通孔
２００    ミニコンポシステム
２０１    エンクロジャー
２０２    アンプ
２０３    プレーヤ
３００    自動車
３０１    回路部
３０２    本体
【図１】
2020178287.tif 000003
【図２】
2020178287.tif 000004
【図３】
2020178287.tif 000005
【図４】
2020178287.tif 000006
【図５】
2020178287.tif 000007
【図６】
2020178287.tif 000008
【図７】
2020178287.tif 000009
【図８】
2020178287.tif 000010
【図９】
2020178287.tif 000011
【図１０】
2020178287.tif 000012
【図１１】
2020178287.tif 000013
【図１２】
2020178287.tif 000014
【図１３】
2020178287.tif 000015
【図１４】
2020178287.tif 000016
【図１５】
2020178287.tif 000017
【図１６】
2020178287.tif 000018
【図１７】
2020178287.tif 000019
【図１８】
2020178287.tif 000020
【図１９】
2020178287.tif 000021
【図２０】
2020178287.tif 000022
【図２１】
2020178287.tif 000023
【図２２】
2020178287.tif 000024
【図２３】
2020178287.tif 000025
【図２４】
2020178287.tif 000026
【図２５】
2020178287.tif 000027
【図２６】
2020178287.tif 000028
【図２７】
2020178287.tif 000029
【図２８】
2020178287.tif 000030
【図２９】
2020178287.tif 000031
【図３０】
2020178287.tif 000032
【図３１】
2020178287.tif 000033